【手続補正書】
【提出日】平成17年8月18日(2005.8.18)
【手続補正１】
【補正対象書類名】特許請求の範囲
【補正対象項目名】全文
【補正方法】変更
【補正の内容】
【特許請求の範囲】
【請求項１】
疎水性ポリマー相と水膨潤超吸収性ポリマー相を含む組成物を製造するための二成分系であって、第１の成分が疎水性ポリマーのエマルジョンであり、第２の成分が超吸収性ポリマーを含み、前記超吸収性ポリマーが水中でその重量の少なくとも１００％を吸収することができる架橋された親水性ポリマーであり、そして混合時に第１および第２の成分が前記組成物を形成する二成分系。
【請求項２】
前記第２の成分がオイルまたは可塑剤中の前記超吸収性ポリマーの分散液である請求項１に記載の二成分系。
【請求項３】
前記オイルまたは可塑剤が前記第１の相中で前記疎水性ポリマーを架橋するための架橋剤を更に含む請求項２に記載の二成分系。
【手続補正２】
【補正対象書類名】明細書
【補正対象項目名】０１２０
【補正方法】変更
【補正の内容】
【０１２０】
本発明の好ましい態様を特に参照しながら、本発明を示し、述べたが付随する特許請求の範囲により包含される本発明の範囲を逸脱せずに、形式と詳細を種々に変えてもよいことは当業者には理解されるであろう。
本発明の好適な実施の態様は次のとおりである。
１．疎水性ポリマー相と水膨潤超吸収性ポリマー相を含む組成物であって、前記超吸収性ポリマーがカチオン性である場合、該組成物はセメントを実質的に含まず、そして体液からの水を実質的に含まず、そして前記超吸収性ポリマーが水中でその重量の少なくとも１００％を吸収することができる架橋された親水性ポリマーを含む組成物。
２．前記疎水性ポリマー相が連続的であり、そして前記水膨潤超吸収性ポリマー相が分離している上記１に記載の組成物。
３．前記疎水性ポリマー相が前記組成物の少なくとも３０重量パーセントである上記１に記載の組成物。
４．前記疎水性ポリマー相がオイルまたは可塑剤に溶解した疎水性ポリマーを含む上記３に記載の組成物。
５．前記超吸収性ポリマーが無水マレイン酸／ビニルエーテルコポリマー、ポリ（アクリル酸）、ポリ（アクリル酸）のコポリマー、ポリ（メタクリル酸）、ポリ（メタクリル酸）のコポリマー、澱粉変成ポリアクリル酸またはこれらのアルカリ金属塩である上記３に記載の組成物。
６．前記超吸収性ポリマーが２−プロペンアミド−コ−２−プロペノン酸のグラフト化された側鎖を含有する澱粉である上記３に記載の組成物。
７．前記疎水性ポリマーが天然ゴム、スチレンブタジエンゴムまたはアクリル樹脂である上記３に記載の組成物。
８．前記超吸収性ポリマーが酸性あるいは塩基性の官能基を含む上記３に記載の組成物。
９．前記組成物が補強用充填剤、非補強用充填剤、顔料、界面活性剤、酸化防止剤、ＵＶ安定剤、ファイバー、離型剤、潤滑剤、空隙剤、粘着剤、凝固剤、エマルジョンのコアセルベート化剤、生物致死剤、融合剤または有機溶媒から選択される１つ以上の成分を更に含む上記３に記載の組成物。
１０．疎水性ポリマー相と水膨潤超吸収性ポリマー相を含み、前記水膨潤超吸収性ポリマー相が水中でその重量の少なくとも１００％を吸収することができる架橋された親水性ポリマーを含む２相組成物を含むプロフアイル、接着剤組成物、コーティング、シーラント、または物品。
１１．前記疎水性ポリマー相が前記物品の少なくとも３０重量パーセントである上記１０に記載のプロフアイル、接着剤組成物、コーティング、シーラント、または物品。
１２．２相組成物が蒸気透過性である上記１１に記載の物品。
１３．前記プロフアイルまたはコーティングが止水板である上記１０に記載のプロフアイルまたはコーティング。
１４．疎水性ポリマー相と水膨潤超吸収性ポリマー相を含む組成物を製造するための二成分系であって、第１の成分が疎水性ポリマーのエマルジョンであり、第２の成分が超吸収性ポリマーを含み、前記超吸収性ポリマーが水中でその重量の少なくとも１００％を吸収することができる架橋された親水性ポリマーであり、そして混合時に第１および第２の成分が前記組成物を形成する二成分系。
１５．前記系が第１および第２の容器を含むキットであり、前記第１の容器が第１の成分を含み、そして前記第２の容器が第２の成分を含む上記１４に記載の二成分系。
１６．前記第２の成分が前記超吸収性ポリマーからなる上記１４に記載の二成分系。
１７．前記第２の成分がオイルまたは可塑剤中の前記超吸収性ポリマーの分散液である上記１４に記載の二成分系。
１８．前記オイルまたは可塑剤が前記第１の相中で前記疎水性ポリマーを架橋するための架橋剤を更に含む上記１７に記載の二成分系。
１９．第１および第２の成分を混合した後前記疎水性ポリマー相が前記組成物の少なくとも３０重量パーセントである上記１４に記載の二成分系。
２０．前記超吸収性ポリマーが酸性あるいは塩基性の官能基を含み、そして中和後前記超吸収性ポリマーが超吸収性となるか、あるいは中和後に中和前よりも少なくとも２倍の水を吸収することができる上記１４に記載の二成分系。
２１．前記第２の成分が前記超吸収性ポリマーの水性分散液であり、そして前記水性分散液が前記ポリマーは非超吸収性であるか、あるいは前水膨潤しているｐＨを有する上記２０に記載の二成分系。
２２．前記超吸収性ポリマーが無水マレイン酸／ビニルエーテルコポリマー、ポリ（アクリル酸）、ポリ（アクリル酸）のコポリマー、ポリ（メタクリル酸）、ポリ（メタクリル酸）のコポリマー、澱粉変成ポリアクリル酸またはこれらのアルカリ金属塩である上記１６に記載の二成分系。
２３．前記超吸収性ポリマーが２−プロペンアミド−コ−２−プロペノン酸のグラフト化された側鎖を含有する澱粉である上記２２に記載の方法。
２４．前記疎水性ポリマーが天然ゴム、スチレンブタジエンゴムまたはアクリル樹脂である上記１６に記載の二成分系。
２５．前記第１の成分または前記第２の成分が補強用充填剤、非補強用充填剤、顔料、界面活性剤、酸化防止剤、ＵＶ安定剤、ファイバー、離型剤、潤滑剤、空隙剤、粘着剤、凝固剤、エマルジョンのコアセルベート化剤、生物致死剤、融合剤または有機溶媒から選択される１つ以上の成分を更に含む上記１６に記載の二成分系。
２６．疎水性ポリマーと、中和した時に、あるいは温度をしきい値温度以上あるいは以下に調整した時に超吸収性となるか、あるいは水吸収能を少なくとも２倍増加し、そして前記エマルジョンのｐＨおよび／または温度を前記ポリマーが非超吸収性であるか、あるいは前水膨潤であるようにさせたポリマーとを含む水性エマルジョン。
２７．疎水性ポリマー相と水膨潤超吸収性ポリマー相を含む組成物を製造する方法であって、前記組成物が二成分系から製造され、前記第１の成分が前記疎水性ポリマーのエマルジョンであり、そして前記第２の成分が前記超吸収性ポリマーを含み、そして前記超吸収性ポリマーが水中でその重量の少なくとも１００％を吸収することができる架橋された親水性ポリマーであり、前記方法が前記第１の成分を前記第２の成分と混合する段階を含む方法。
２８．前記第２の成分が前記超吸収性ポリマーからなる上記２７に記載の方法。
２９．前記第２の成分がオイルまたは可塑剤中の前記超吸収性ポリマーの分散液である上記２７に記載の方法。
３０．前記第２の成分が前記疎水性ポリマーの架橋剤を更に含み、そして前記第１の成分と第２の成分を疎水性ポリマーの架橋に好適な条件下で混合し、それにより前記組成物を形成し、そして前記疎水性ポリマーを架橋する上記２９に記載の方法。
３１．前記超吸収性ポリマーが酸性あるいは塩基性の官能基を含み、そして中和時に超吸収性となるか、あるいは水吸収能を増加し、前記第２の成分を前記超吸収性ポリマーが非超吸収性であるか、あるいは前水膨潤であるようなｐＨとし、そして前記混合物を前記超吸収性ポリマーが中和されるようなｐＨとするか、あるいは調整する上記２７に記載の方法。
３２．前記超吸収性ポリマーがアクリル酸のポリマーまたはコポリマー、無水マレイン酸のポリマー又はコポリマー、澱粉変成ポリアクリル酸またはこれらのアルカリ金属塩である上記２７に記載の方法。
３３．第１および第２の成分を混合した後前記疎水性ポリマー相が前記組成物の少なくとも３０重量パーセントである上記２７に記載の方法。
３４．前記超吸収性ポリマーが無水マレイン酸／ビニルエーテルコポリマー、ポリ（アクリル酸）、ポリ（アクリル酸）のコポリマー、ポリ（メタクリル酸）、ポリ（メタクリル酸）のコポリマー、澱粉変成ポリアクリル酸またはこれらのアルカリ金属塩である上記２７に記載の方法。
３５．前記超吸収性ポリマーが２−プロペンアミド−コ−２−プロペノン酸のグラフト化された側鎖を含有する澱粉である上記３４に記載の方法。
３６．前記疎水性ポリマーが天然ゴム、スチレン変性ブタジエンゴムまたはアクリル樹脂である上記２７に記載の方法。
３７．前記第１の成分および／または前記第２の成分が補強用充填剤、非補強用充填剤、顔料、界面活性剤、酸化防止剤、ＵＶ安定剤、ファイバー、離型剤、潤滑剤、空隙剤、粘着剤、凝固剤、エマルジョンのコアセルベート化剤、生物致死剤、融合剤または有機溶媒から選択される１つ以上の成分を更に含む上記２７に記載の方法。
３８．疎水性ポリマーと、しきい値温度以上あるいは以下で超吸収性となるか、あるいは水膨潤性となる架橋した親水性ポリマー相と疎水性ポリマーを含む水性エマルジョンから疎水性ポリマー相と水膨潤超吸収性ポリマー相を含む組成物を製造する方法であって、前記エマルジョンを前記ポリマーが非超吸収性あるいは前水膨潤性である温度とし、上記方法が前記ポリマーが超吸収性あるいは水膨潤性となるように前記エマルジョンの温度を調整する段階を含む方法。
３９．上記２７に記載の方法により製造される組成物。